【事件の表示】
　特許第２７８５１１４号「輸液装置」の請求項１ないし３に係る特許に対する特許異議の申立てについて、次のとおり決定する。
【結論】
　訂正を認める。
　特許第２７８５１１４号の請求項１ないし３に係る特許を維持する。
【理由】
（１）手続の経緯
　特許第２７８５１１４号に係る発明についての出願は、平成３年８月９日に出願した特願平３−２２４７４３号の一部を平成７年５月２９日に新たな特許出願とし、平成１０年５月２９日に設定登録され、その後、特許異議の申立がなされ、取消理由通知がなされ、その指定期間内である平成１１年８月１０日に訂正請求がなされたものである。
（２）訂正の適否についての判断
ア．訂正の内容
　特許権者が求めている訂正の内容は、以下のａ）乃至ｇ）のとおりである。
ａ）特許請求の範囲の請求項１及び２を
「【請求項１】
薬液が収納されるシリンジと、
このシリンジの容積を一定速度で減少させる駆動機構と、
このシリンジの内圧を検知して圧力検知信号を出力する圧力センサと、
シリンジの径の種類を検知して径検知信号を出力するシリンジ径検出器と、
シリンジの製造メーカの種類を選択してメーカ選択信号を出力するメーカ選択スイッチと、
複数の上限値を有する上限係数器と、
前記シリンジ径検出器の前記径検知信号と前記メーカ選択スイッチの前記メーカ選択信号とに応じて補正された後の前記圧力センサの前記圧力検知信号と前記上限値とを比較する比較回路と、
前記上限係数器から前記比較回路に出力される前記上限値を選択する上限値選択スイッチとを備えた輸液装置。
　【請求項２】
薬液が収納されるシリンジと、
このシリンジの吸子を一定速度で押圧する駆動機構と、
この吸子に対する押圧力を検知して圧力検知信号を出力する圧力センサと、
シリンジの径の種類を検知して径検知信号を出力するシリンジ径検出器と、
シリンジの製造メーカの種類を選択してメーカ選択信号を出力するメーカ選択スイッチと、
複数の上限値を有する上限係数器と、
前記シリンジ径検出器の前記径検知信号と前記メーカ選択スイッチの前記メーカ選択信号とに応じて補正された後の前記圧力センサの前記圧力検知信号と前記上限値とを比較する比較回路と、
前記上限係数器から前記比較回路に出力される前記上限値を選択する上限値選択スイッチとを備えた輸液装置。」
と訂正する。
ｂ）特許請求の範囲の請求項３の中の「前記圧力センサの検知出力」を「前記圧力センサの前記圧力検知信号」と訂正する。
　即ち、特許請求の範囲の請求項３を
「【請求項３】
前記圧力センサの前記圧力検知信号は、所定のビット数のデジタル信号にＡ／Ｄ変換されて、前記上限係数器のメモリに記憶された前記上限値と前記比較回路において比較されることを特徴とする請求項１又は２に記載の輸液装置。」
と訂正する。
ｃ）明細書の段落【０００５】を「本発明は、上記事情に鑑み、シリンジの内圧もしくは吸子に対する押圧力を圧力センサにより検知し、シリンジの製造メーカの種類およびシリンジの径の種類に応じて補正された後の圧力センサからの圧力検知信号と上限係数器からの上限値とを比較するとともに、薬液の粘性、注射針のゲージ、患者の注人部位（静脈／動脈／筋肉）による反発力を考慮して、注入圧の警報レベルを複数段階に切り換えるようにした輸液装置を提供することを目的とする。」と訂正する。
ｄ）明細書の段落【０００６】【課題を解決するための手段】を「本発明による輸液装置は、薬液が収納されるシリンジと、このシリンジの容積を一定速度で減少させる駆動機構と、このシリンジの内圧を検知して圧力検知信号を出力する圧力センサと、シリンジの径の種類を検知して径検知信号を出力するシリンジ径検出器と、シリンジの製造メーカの種類を選択してメーカ選択信号を出力するメーカ選択スイッチと、複数の上限値を有する上限係数器と、前記シリンジ径検出器の前記径検知信号と前記メーカ選択スイッチの前記メーカ選択信号とに応じて補正された後の前記圧力センサの前記圧力検知信号と前記上限値とを比較する比較回路と、前記上限係数器から前記比較回路に出力される前記上限値を選択する上限値選択スイッチとを備えている。また、前記圧力センサの前記圧力検知信号は、圧力換算回路において所定のビット数例えば８ビットのデジタル信号にＡ／Ｄ変換されて、前記上限係数器のメモリに記憶された前記上限値と前記比較回路において比較されるのが好ましい。更に、輸液開始後の所定時間内に発生した警報に対応する前記上限値を更新する学習機能を更に備えているのが好ましい。」と訂正する。
ｅ）明細書の段落【０００７】を「また、本発明の別の態様の輸液装置は、薬液が収納されるシリンジと、このシリンジの吸子を一定速度で押圧する駆動機構と、この吸子に対する押圧力を検知して圧力検知信号を出力する圧力センサと、シリンジの径の種類を検知して径検知信号を出力するシリンジ径検出器と、シリンジの製造メーカの種類を選択してメーカ選択信号を出力するメーカ選択スイッチと、複数の上限値を有する上限係数器と、前記シリンジ径検出器の前記径検知信号と前記メーカ選択スイッチの前記メーカ選択信号とに応じて補正された後の前記圧力センサの前記圧力検知信号と前記上限値とを比較する比較回路と、前記上限係数器から前記比較回路に出力される前記上限値を選択する上限値選択スイッチとを備えている。この圧力センサの前記圧力検知信号もデジタル信号にＡ／Ｄ変換され、学習機能が輸液開始後の所定時間内に発生した警報に対応して前記上限値を更新するのが好ましい。」と訂正する。
ｆ）明細書の段落【００１６】の中の「２０ｍｍのシリンジ３の装着時に中断及び下段の受光部（０１１）か遮蔽され」を「２０ｍｍのシリンジ３の装着時に中段及び下段の受光部（０１１）が遮蔽され」と訂正する。
ｇ）明細書の段落【００２７】【発明の効果】を「以上述べたように、本発明による輸液装置によれば、シリンジの製造メーカの種類およびシリンジの径の種類に応じて補正された後の圧力センサの圧力検知信号と上限係教器の上限値とを比較することができるとともに、薬液の粘性、注射針のゲージ、患者の注入部位（静脈／動脈／筋肉）による反発力を考慮して、上限係数器の上限値を複数段階に切り換えることができる。したがって、シリンジの製造メーカの種類、シリンジの径の種類、種々の粘性を持つ輔液などに対応した注入圧の警報レベルをきわめて容易に設定することができ、これに基づいて、輪液中の針づまり等の異常を的確に検出できるから、比較的簡単な操作により常に安全に輸液を行うことができると訂正する。
イ．訂正の目的の適否、新規事項の有無及び拡張・変更の存否
　上記ａ）の訂正は、特許請求の範囲の減縮及び明りょうでない記載の釈明に該当し、新規事項の追加に該当しない。
　また、上記ｂ）乃至ｅ）の訂正は、上記ａ）の訂正に伴ってなされたものであり、明りょうでない記載の釈明に相当する。
　また、上記ｆ）の訂正は、誤記の訂正に相当する。
　さらに、上記ｇ）の訂正は、上記ａ）の訂正に伴ってなされたものであり、明りょうでない記載の釈明に相当し、かつ、誤記の訂正を含むものである。
　そして、上記いずれの訂正も実質上特許請求の範囲を拡張又は変更するものでもない。
ウ．独立特許要件の判断
　訂正明細書の請求項１乃至３に係る発明（以下、「本件発明」という。）に対して、当審が通知した取消理由で引用した刊行物１（特開昭６３−１７７８６４号公報）には、シリンジ外筒１を保持する部分とシリンジ内筒２を保持する部分とがモータ１０によりその距離を所定の速度で接近せしめるようにして、シリンジ内の液体を体内に注入するようにしたシリンジ注入装置において、モータ５に印加する電気信号の大きさとシリンジの断面積とに基づいて注入液圧力を感知し、液圧力が所定値を超えたときに装置が過負荷状態にあると判定する過負荷判定回路１９を備えたシリンジ注入装置であって、目標注入速度を設定する注入速度設定器１７とシリンジの大きさを設定するシリンジ設定器１８とを備え、注入速度設定器１７の出力信号が速度制御回路１６に加えられて、実際注入速度信号と目標注入速度信号とが比較され、両者の偏差信号がモータ５に加えられて、モータ５が目標注入速度で回転するよりに制御され、速度制御回路１６の偏差信号と注入速度設定器１７の出力信号とが過負荷判定回路１９に加えられ、さらに、シリンジ設定器１８からの（あるいはシリンジ種別を自動的に検知して）シリンジ種別信号が過負荷判定回路１９に加えられ、過負荷判定回路９は、実際の注入速度とシリンジの断面積とから過負荷判定の電機子電流を計算して、モータ５の印加電流がこの計算値を超えたときに、過負荷表示回路２０に過負荷信号を送出するものが記載されている。
　また、同刊行物２（Ｔｈｅ　ＢＢＩ　Ｎｅｗｓｌｅｔｔｅｒ　ｖｏｌ．１３，Ｎｏ７，ｐ１３２）には、モニタ・ディスプレイと、閉塞が生じると輸液を自動的に止めて警報を鳴らす警報システムとを備えたシリンジポンプであって、警報レベルは、例えば、輸液場所と患者との両方を保護するために非常に低い警報レベルが設定できるように、簡単に調整されるものが記載されている。
　また、同刊行物３（特開平１−３０８５７０号公報）には、主ポンプユニット上に装着されるポンプを有する使い捨てカセット３０２が組み込まれる薬物注入システムであって、患者側流体圧力を指示する電気的圧力信号を提供する手段、上記圧力信号の一次差分をとって圧力変化割合信号を発生する手段、これらの圧力信号および圧力変化割合信号にもとづいて未来における予測された圧力信号を出力するワンステップ前方予測器、上記圧力変化割合信号に基づいて上記ワンステップ前方予測器を監視し、上記予測圧力信号にもとづいて警報を行う第１の監視手段および上記圧力変化割合信号に基づいて上記圧力信号を監視し、上記圧力信号にもとづいて警報を行う第２の監視手段とからなる患者側閉塞検知システムが記載されている。
　さらに、同刊行物４（特開平１−３０８５６８号公報）には、オーディオ発生手段２６、ステータス表示手段２４、インフォメーション・ディスプレイ手段２８、ユーザ・インプット２０およびマイクロプロセッサ２２から成るユーザ・インタフェース１０が接続されるマルチモード薬剤注入システムであって、マルチチャネル形式のポンピング要素１８とセンサ・インタフェースとを含む滅菌カセットが組み込まれるように構成され、その機能をユーザ・インタフェース１０により制御するようにしたものが記載されている。
（対比・判断）
　本件発明と上記刊行物１乃至４に記載の発明とを対比すると、上記各刊行物に記載の発明は、少なくとも本件発明を特定する事項である、「シリンジの製造メーカの種類を選択してメーカ選択信号を出力するメーカ選択スイッチ」及び「シリンジ径検出器の径検知信号とメーカ選択スイッチのメーカ選択信号とに応じて補正された後の圧力センサの圧力検知信号と上限値とを比較する比較回路」を備えておらず、当該事項により本件発明は、シリンジの製造メーカの種類、シリンジの径の種類、種々の粘性を持つ輔液などに対応した注入圧の警報レベルをきわめて容易に設定することができ、これに基づいて、輪液中の針づまり等の異常を的確に検出できるから、比較的簡単な操作により常に安全に輸液を行うことができるという顕著な効果を奏するものである。
　このように、上記の特定する事項を備えていない各刊行物に記載の発明か本件発明と同一であるとはいえず、また、各刊行物に記載の発明を如何に組み合わせても本件発明に至らないことも明らかであるから、本件発明か特許法第２９条第１項第３号あるいは同条第２項の規定に違反しているとはいえない。
　したがって、本件発明は特許出願の際独立して特許を受けることができるものである。
エ．むすび
　以上のとおりであるから、上記訂正は、特許法第１２０条の４第２項及び同条第３項で準用する第１２６条第２−４項の規定に適合するので、当該訂正を認める。
（３）特許異議の申立てについての判断
ア．申立ての概要
　申立人テルモ株式会社は、証拠として甲第１号証（特開昭６３−１７７８６４号公報（取消理由で示した刊行物１））、甲第２号証（Ｔｈｅ　ＢＢＩ　Ｎｅｗｓｌｅｔｔｅｒ　ｖｏｌ　１３，Ｎｏ７，ｐ１３２（同刊行物２））、甲第３号証（特開平１−３０８５７０号公報（同刊行物３））及び甲第４号証（特開平１−３０８５６８号公報（同刊行物４））を提出し、本件発明についての特許は特許法第２９条第１項第３号もしくは同条第２項の規定に違反してなされたものであり、本件発明についての特許を取り消すべき旨主張している。
イ．判断
　本件発明は、上記（２）ウ．の項で述べたように、取消理由通知で示した各刊行物に記載された発明であるとも、これらから容易に推考しうるものでもない。
　また、他に本件発明についての特許を取り消すべき理由を発見しない。
　よって、結論のとおり決定する。
【異議決定日】
平成１１年１０月２９日（１９９９．１０．２９）
【訂正の要旨】
訂正の要旨
▲１▼訂正事項ａ
　特許肩求の範囲の請求項１及び２を
「【請求項１】
薬液が収納されるシリンジと、
このシリンジの容積を一定速度で減少させる駆動機構と、
このシリンジの内圧を検知して圧力検知信号を出力する圧力センサと、
シリンジの径の種類を検知して径検知信号を出力するシリンジ径検出器と、
シリンジの製造メーカの種類を選択してメーカ選択信号を出力するメーカ選択スイッチと、
複数の上限値を有する上限係数器と、
前記シリンジ径検出器の前記径検知信号と前記メーカ選択スイッチの前記メーカ選択信号とに応じて補正された後の前記圧力センサの前記圧力検知信号と前記上限値とを比較する比較回路と、
前記上限係数器から前記比較回路に出力される前記上限値を選択する上限値選択スイッチとを備えた輸液装置。
　【請求項２】
薬液が収納されるシリンジと、
このシリンジの吸子を一定速度で押圧する駆動機構と、
この吸子に対する押圧力を検知して圧力検知信号を出力する圧力センサと、
シリンジの径の種類を検知して径検知信号を出力するシリンジ径検出器と、
シリンジの製造メーカの種類を選択してメーカ選択信号を出力するメーカ選択スイッチと、
複数の上限値を有する上限係数器と、
前記シリンジ径検出器の前記径検知信号と前記メーカ選択スイッチの前記メーカ選択信号とに応じて補正された後の前記圧力センサの前記圧力検知信号と前記上限値とを比較する比較回路と、
前記上限係数器から前記比較回路に出力される前記上限値を選択する上限値選択スイッチとを備えた輸液装置。」
と訂正する。
▲２▼訂正事項ｂ
　特許請求の範囲の請求項３の中の
「前記圧力センサの検知出力」を「前記圧力センサの前記圧力検知信号」　
と訂正する。
▲３▼訂正事項ｃ
　明細書の段落【０００５】を
「本発明は、上記事情に鑑み、シリンジの内圧もしくは吸子に対する押圧力を圧力センサにより検知し、シリンジの製造メーカの種類およびシリンジの径の種類に応じて補正された後の圧力センサからの圧力検知信号と上限係数器からの上限値とを比較するとともに、薬液の粘性、注射針のゲージ、患者の注入部位（静脈／動脈／筋肉）による反発力を考慮して、注入圧の警報レベルを複数段階に切り換えるようにした輸液装置を提供することを目的とする。」
と訂正する。
▲４▼訂正事項ｄ
　明細書の段落【０００６】【課題を解決するための手段】を
「本発明による輸液装置は、薬液が収納されるシリンジと、このシリンジの容積を一定速度で減少させる駆動機構と、このシリンジの内圧を検知して圧力検知信号を出力する圧力センサと、シリンジの径の種類を検知して径検知信号を出力するシリンジ径検出器と、シリンジの製造メーカの種類を選択してメーカ選択信号を出力するメーカ選択スイッチと、複数の上限値を有する上限係数器と、前記シリンジ径検出器の前記径検知信号と前記メーカ選択スイッチの前記メーカ選択信号とに応じて補正された後の前記圧力センサの前記圧力検知信号と前記上限値とを比較する比較回路と、前記上限係数器から前記比較回路に出力される前記上限値を選択する上限値選択スイッチとを備えている。また、前記圧力センサの前記圧力検知信号は、圧力換算回路において所定のビット数例えば８ビットのデジタル信号にＡ／Ｄ変換されて、前記上限係数器のメモリに記憶された前記上限値と前記比較回路において比較されるのが好ましい。更に、輸液開始後の所定時間内に発生した警報に対応する前記上限値を更新する学習機能を更に備えているのが好ましい。」
と訂正する。
▲５▼訂正事項ｅ
　明細書の段落【０００７】を
「また、本発明の別の態様の輸液装置は、薬液が収納されるシリンジと、このシリンジの吸子を一定速度で押圧する駆動機構と、この吸子に対する押圧力を検知して圧力検知信号を出力する圧力センサと、シリンジの径の種類を検知して径検知信号を出力するシリンジ径検出器と、シリンジの製造メーカの種類を選択してメーカ選択信号を出力するメーカ選択スイッチと、複数の上限値を有する上限係数器と、前記シリンジ径検出器の前記径検知信号と前記メーカ選択スイッチの前記メーカ選択信号とに応じて補正された後の前記圧力センサの前記圧力検知信号と前記上限値とを比較する比較回路と、前記上限係数器から前記比較回路に出力される前記上限値を選択する上限値選択スイッチとを備えている。この圧力センサの前記圧力検知信号もデジタル信号にＡ／Ｄ変換され、学習機能が輸液開始後の所定時間内に発生した警報に対応して前記上限値を更新するのが好ましい。」
と訂正する。
▲６▼訂正事項ｆ
　明細書の段落【００１６】の中の
「２０ｍｍのシリンジ３の装着時に中断及び下段の受光部（０１１）が遮蔽され」を
「２０ｍｍのシリンジ３の装着時に中段及び下段の受光部（０１１）が遮蔽され」
と訂正する。
▲７▼訂正事項ｇ
　明細書の段落【００２７】【発明の効果】を
「以上述べたように、本発明による輸液装置によれば、シリンジの製造メーカの種類およびシリンジの径の種類に応じて補正された後の圧力センサの圧力検知信号と上限係教器の上限値とを比較することができるとともに、薬液の粘性、注射針のゲージ、患者の注入部位（静脈／動脈／筋肉）による反発力を考慮して、上限係数器の上限値を複数段階に切り換えることができる。したがって、シリンジの製造メーカの種類、シリンジの径の種類、種々の粘性を持つ輔液などに対応した注入圧の警報レベルをきわめて容易に設定することができ、これに基づいて、輪夜中の針づまり等の異常を的確に検出できるから、比較的簡単な操作により常に安全に輸液を行うことができる。」
と訂正する。
（５４）【発明の名称】
輸液装置
（５７）【特許請求の範囲】
　【請求項１】
薬液が収納されるシリンジと、
このシリンジの容積を一定速度で減少させる駆動機構と、
このシリンジの内圧を検知
して圧力検知信号を出力する圧力センサと、
シリンジの径の種類を検知して径検知信号を出力するシリンジ径検出器と、
シリンジの製造メーカの種類を選択してメーカ選択信号を出力するメーカ選択スイッチと、
複数の上恨値を有する上限係数器と、
前記シリンジ径検出器の前記径検知信号と前記メーカ選択スイッチの前記メーカ選択信号とに応じて補正された後の前記圧力センサの前記圧力検知信号と前記上限値とを
前記上限係数器から
前記比較回路に出力される
上限値
　【請求項２】
薬液が収納されるシリンジと、
このシリンジの吸子を一定速度で押圧する駆動機構と、
この吸子に対する押圧力を検知
して圧力検知信号を出力する
シリンジの径の種類を検知して径検知信号を出力するシリンジ径検出器と、
シリンジの製造メーカの種類を選択してメーカ選択信号を出力するメーカ選択スイッチと、
複数の上限値を有する上限係数器と、
前記シリンジ径検出器の前記径検知信号と前記メーカ選択スイッチの前記メーカ選択信号とに応じて補正された後の前記圧力センサの前記圧力検知信号と前記上限値とを
前記上限係数器から
前記比較回路に出力される
上限値
　【請求項３】
前記圧力センサの
前記圧力検知信号
　【請求項４】
輸液開始後の所定時間内に発生した警報に対応する前記上限値を更新する学習機能を更に備えた請求項１又は２に記載の輸液装置。
【発明の詳細な説明】
　【０００１】
　【産業上の利用分野】
本発明は、シリンジ式注入ポンプを用いて各種薬液或は血液等を人体に注入する輸液装置に関する。
　【０００２】
　【従来の技術】
従来より、薬液を吸い上げたシリンジをシリンジ式ポンプに装着し、このシリンジの吸子をスライダにより一定速度に押圧することによって自動的に輸液を行うようにした輸液装置が知られている。この輸液装置は、特開昭４８−６２２８９号公報、実開昭５７−７６６３７号公報及び特公昭６３−４４３９０号公報に開示されている。
　【０００３】
この種のポンプにおいては、患者に薬液が無理なく、異状なく注入されることが重要である。そこで、薬液が患者に注入される直前の針の部分における圧力の上限を決定し、この上限値に至る際のシリンジの吸子に対する押圧力を算出し、この押圧力に達した時に警報を発したり、ポンプの作動を停止するようにした輸液装置が提供されている。
　【０００４】
　【発明が解決しようする課題】
しかしながら、この方式では、吸子に対する押圧力が上限値を越えて警報を発しても、異常が発生していない場合があった。これは、薬液の粘性、注射針のゲージ即ち大きさ、患者の注入部位（静脈／動脈／筋肉）によって注入圧が変化することを考慮に入れていないからである。即ち、この上限値が粘性の低い薬液に合わせて設定されているため、最近注目されている粘性の高い高カロリーの薬液に対応していない。また、上限値は、圧損の大きいゲージの小さい注射針を使用した場合や、動脈注入等の血圧が影響する注入圧に対する反発力に対応していない。最悪の場合には、患者の急変で血圧が上昇した場合に、輸液が警報によって停止してしまうことがあった。
　【０００５】
本発明は上記事情に鑑み、
シリンジの内圧もしくは吸子に対する押圧力を圧力センサにより検知し、シリンジの製造メーカの種類およびシリンジの径の種類に応じて補正された後の圧力センサからの圧力検知信号と上限係数器からの上限値とを比較するとともに、
　【０００６】
　【課題を解決するための手段】
本発明による輸液装置は、薬液が収納されるシリンジと、このシリンジの容積を一定速度で減少させる駆動機構と、このシリンジの内圧を検知
して圧力検知信号を出力
シリンジの径の種類を検知して径検知信号を出力するシリンジ径検出器と、シリンジの製造メーカの種類を選択してメーカ選択信号を出力するメーカ選択スイッチと、
前記シリンジ径検出器の前記径検知信号と前記メーカ選択スイッチの前記メーカ選択信号とに応じて補正された後の前記圧力センサの前記圧力検知信号と前記上限値とを
前記比較回路に出力される
上限値
前記圧力検知信号
　【０００７】
また、本発明の別の態様の輸液装置は、薬液が収納されるシリンジと、このシリンジの吸子を一定速度で押圧する駆動機構と、この吸子に対する押圧力を検知
して圧力検印信号を出力
シリンジの径の種類を検知して径検知信号を出力するシリンジ径検出器と、シリンジの製造メーカの種類を選択してメーカ選択信号を出力するメーカ選択スイッチと、
前記シリンジ径検出器の前記径検知信号と前記メーカ選択スイッチの前記メーカ選択信号とに応じて補正された後の前記圧力センサの前記圧力検知信号と前記上限直とを
前記比較回路に出力される
上限値
前記圧力検知信号
　【０００８】
　【実施例】
以下に本発明の一実施例を図面を参照して説明する。図１には、本発明による一実施例の輸液装置１の外観が示される。この輸液装置１のケース２には、シリンジ３の輸液操作及び輸液状態を監視する操作部４と、シリンジ３が装着され得る装着部５とが設けられる。まず、シリンジ３は、用途によって例えば総量１０ｍｍ、２０ｍｍ、３０ｍｍ及び５０ｍｍの規格品が用いられ、従って、規格に対応した外径を持っている。このシリンジ３は、例えば５０ｍｍの規格品でも製造メーカによって吸子との摩擦係数が異なり、単位流量当たりの押圧力が異なる。しかしながら、同一規各の同一製造メーカのシリンジは、摩擦係数のバラツキが殆どなく、従って摩擦系数が略一定である。
　【０００９】
また、操作部４には、装着されたシリンジ３の大きさを例えばＬＥＤで表示する容量表示器６と、種々の動作状態を表示する集中表示器７と、輸液開始表示器８と、輸液停止表示器９と、輸液中の流量、累積流量或はワンショット流量をｍｌ／ｈｒ（時間）或はｍｌの単位で表示する４桁の数値表示器１０とが配置される。
　【００１０】
従って、集中表示器７は、輸液開始後の所定時間点灯して警報用の上下限値の更新を指示する警報レベル自動設定表示器と、この所定時間経過後に輸液中の異常例えば閉塞或は注入針の外れで点灯する閉塞／開放表示器と、内蔵した二次電池が使用限度に達したことを指示する低電圧表示器と、操作手順のミスを指示する操作忘れ表示器と、輸液完了を指示する輸液完了表示器と、輸液完了１分前を指示する待機表示器とを備える。
　【００１１】
この操作部４には更に、緊急時に通常の輸液量より多い量の輸液を送り得るワンショットボタン１１、数値表示器１０の表示内容を選択する輸液量ボタン１２、輸液開始／停止ボタン１３、早送りボタン１４及び電源ボタン１５が配置される。更に、数値表示器１０の上下には、桁毎に流量設定が行える流量設定ボタン１６が配置されている。これら流量設定ボタン１６は、毎時０．０〜１９９．９ｍｌの間で設定できる。また、空のシリンジ３内の吸子を一定速度で押圧して、この時の押圧力を押圧力損失値とみなして、圧損係数器に記憶する学習機能設定ボタン１７、或はブザー停止ボタン（図示略）も配置される。
　【００１２】
装着部５は、シリンジ３の外筒２１が載せられる載置部２２と、シリンジ３内を▲摺▼動自在に移動する吸子２３を押圧し得るスライダ２４と、図２に示すように、このスライダ２４を支持しながら載置部２２方向（矢印ａ方向）に駆動させる駆動機構２５とを備えている。まず、載置部２２には、載せられたシリンジ３を上から固定する保持部２６と、この保持部２６の下部に配置されたシリンジ径検出器２７とが設けられる。また、スライダ２４には、駆動機構２５を解除してスライダ２４を元の位置に戻させる解除ボタン２８が設けられ、駆動機構２５の一部はベローズ２９で覆われて、内部が見えないようなっている。
　【００１３】
従って、シリンジ３と吸子２３とを備えたポンプは、シリンジ３が保持部２６に保持され、吸子２３の後端部がスライダ２４に当接される。尚、シリンジ３の先端には、注射針に連通した柔軟な輸液パイプ（図示略）が接続される。従って、シリンジ３が載置部２２に取付けられて、スライダ２４が駆動機構２５によって吸子２３を矢印ａ方向に所定速度で押された時には、シリンジ３内の薬液が所定流量で押出されて、輸液パイプ及び注射針を経由して患者に注入される。
　【００１４】
この駆動幾構２５は、図２に示すように、装着部５に▲摺▼動自在に支持される主軸３０と、装着部５に▲摺▼動自在に支持されると共に主軸３０と平行に配置される解除軸とを備えている。この主軸３０は、一端がスライダ２４に固定され、他端が係合部材３２に固定される。一方、解除軸は、主軸３０の向う側に配置されて見えないが一端近傍がスライダ２４に軸支され、他端近傍が係合部材３２に軸支され、一儲がアームを介して解除ボタン２８に固定され、他端が係合部材の係合爪（図示略）に固定される。
　【００１５】
この係合部材３２も、スライダ２４と同様に、装着部５内で揺動自在に支持されると共に係合爪と係合し得る送りネジ３４によって往復動作させられる。即ち、係合部材３２は、各々が装着部５内で主軸３０及び解除軸と平行に配置される案内棒及び送りネジ３４に▲摺▼動自在に取付けられる。この送りネジ３４は、装着部５に軸支されると共に軸方向に僅かに移動自在に支持される。なお、案内棒は、送りネジ３４の手前側に配置されているが、図示を省略する。
　【００１６】
また、シリンジ径検出器２７は、保持部２６のノブに連動して上下する遮蔽板と、この遮蔽板が発光部と受光部との間を各々横切れる三段のフォトインタラプタとを備える。この遮蔽板には切欠きが設けられ、切欠きの幅は、シリンジ３の未装着時に全受光部が遮蔽され、総量１０ｍｍのシリンジ３の装着時に下段の受光部のみ（００１）が露光され、２０ｍｍのシリンジ３の装着時に
中段
　【００１７】
一方、送りネジ３４は、図２に示すように、一端３４ａに圧力センサ４０が取付けられ、他端に減速歯車機構の大歯車４１が固定される。この大歯車と噛合する小歯車を回転軸に固定したモータ４２は、図３に示すようにモータ制御回路４３の制御下で、流量設定ボタン１６からの流量信号及び径信号Ｒにより、所定の速度で回転駆動される。これら流量信号及び径信号Ｒはメモリに記憶される。
　【００１８】
したがって、圧力センサ４０によりシリンジ３の吸子２３に対する押圧力（換言すれば、シリンジ３の内圧）を間接的に検出することができる。そして、圧力センサ４０から出力される圧力信号は、アンプを介して増幅された後に圧力換算回路４４に入力される。この圧力換算回路４４は、Ａ／Ｄ変換後、２ビットの径信号Ｒに基いてシリンジ径の違いによる圧力差を換算し、薬液の単位面積当りの圧力を求めて、その出力が減算器４５に入力される。
　【００１９】
この減算器４５には、シリンジ３と吸子２３との間の摩擦係数に基づいて圧力損失値を出力する圧損係数器４６の出力も入力される。この圧損係数器４６は、数社の注射器製造メーカが選択できるシリンジ種別選択スイッチ４８からの、例えば３ビットの製造メーカ信号Ｍが入力されるＲＯＭ４９を備える。このＲＯＭ４９には、列えば４種のシリンシ径に対応した２ヒットの径信号Ｒが入力されて、現在使用中の特定の製造メーカの特定の径の注射器に対応した圧力損失値を減算器４５に入力する。従って、ＲＯＭ４９に記憶される摩擦係数に関連する値は、シリンジ３の規格及び製造メーカの仕様に基づいて決定される。
　【００２０】
これの代わりに、圧損係数器４６は、空のシリンジ３内の吸子２３を一定速度で押圧して、この時の押圧力値を記憶する学習機能用のＲＡＭ或はレジスタ５０を備えてもよい。
　【００２１】
一方、比較回路４７には、輸液の注射針が患者の血管或は筋肉に正常に差し込まれているひ否かを示す閉塞検知用の上限係数器５１の出力と、この注射針或は輸液パイプび寝返り等の外的要因で外れたか否かを示す開放検知用の下限係数器５２の出力とが入力されて、正味の押圧力信号と各々比較される。
　【００２２】
これら上根係数器５１及び下限係数器５２は、閉塞圧レベル選択スイッチ５３或は選択レジスタによって選択されるＲＯＭ或はＲＡＭである。この閉塞圧レベル選択スイッチ５３は、輸液の粘性に応じて上限係数器及び下限係数器に記憶された適切な上下限値を出力させるもので、通常容易に操作できないように本体内に内蔵される。この選択スイッチ５３は、輸液の粘性度、針のゲージ及び患者の注入部位によって例えば１６段階の警報レベルを例えば看護婦等によって手動で選択できる，
　【００２３】
そして、別の態様によれば、注射針が患者の注入部位に正確に差し込まれている場合には、輸液の注入を開始してから例えば１分以内の所定時間内に、輸液の注入が安定状態に達することを利用して、警報レベルの自動設定が可能である。この場合、輸液を開始してから所定時間内には、比較回路４７の出力が警報レベルを達したときに上限係数器５１及び下限係数器５２用のレジスタの内容を更新させて次の段階の警報レベルを選択する。勿論、輸液開始後における所定時間内に発生し得る警報に対応した上下限値を更新する学習機能は、所定時間を経過した後において輸液中の患者の様態を十分に監視することが重要である。
　【００２４】
また、比較回路４７は、押圧力信号が上下限値の間を超えることにより、対応の異常状態を検出して、アラーム信号を警報回路５４に入力する。この警報回路５４は、異常状態に応じて図１の閉塞／開放表示器７で表示すると共に、停止信号ＳＴをモータ制御回路４３に送ってモータを停止させる。従って、輸液状態を常に監視することができる。
　【００２５】
この警報回路５４は、種々の内容を持つ警報信号を出力する。例えば、輸液が終了したシリンジ３を、新規な薬液を収容したシリンジ３に交換する場合には、予め記憶された前のシリンジ３の直径と、次のシリンジ３の直径とが比較されて、比較結果が異なると警報が発せられる。勿論、警報は、その内容に応じて音、光等による表示状態を変えるようにしてよい。
　【００２６】
また、図３に示すブロック回路は、ＣＰＵ、ＲＯＭ、ＲＡＭ、Ｉ／Ｏ装置、Ａ／Ｄ変換機能及びＤ／Ａ変換機能を備えたワンチップマイクロコンピュータシステム、或は通常のマイクロコンピュータシステムが使用できるが、アナロク回路で構成することかでき、さらにモータとしてパルスモータを用いてよい。
　【００２７】
　【発明の効果】
以上述ベたように、本発明による輸液装置
によれば、シリンジの製造メーカの種類およびシリンジの径の種類に応じて補正された後の圧力センサの圧力検知信号と上限係数器の上限値とを比較することができるとともに、
して、上限係数器の上限値
ことができる。したがって、シリンジの
メーカの種類、シリンジの径の種類、
など
注入圧
きわめて容易
的確
できるから、比較的簡単な操作により
【図面の簡単な説明】
　【図１】
本発明の実施例の輸液装置の外観斜視図である。
　【図２】
図１の輸夜装置の一部破断正面図である。
　【図３】
本発明による輸液制御回路を概略的に示したブロック図である。
　【符号の説明】
１　輸液装置
３　シリンジ
２５　駆動機構
４０　圧力センサ
４７　比較回路
５１　上限係数器
５３　選択スイッチ